(57)【要約】【課題】ワープロなどのディスプレイに固着させた原稿を読み取るときの、左右に大きく振り動かす首の動きを上下の小さい動きにし、必要となる行だけが保持板の表に現われるようにすること。【解決手段】原稿１を保持する保持板２に、原稿１の行に沿った切り溝３を設け、もう一本の切り溝４を設けて保持板２を形成する。また、切り溝３，４を設けた保持板２の一端とディスプレイ７の外壁面に固着させる固定部８とを屈曲自在や回動自在の連結によって形成する。【選択図】          図１
2005038031.tif 000002
【特許請求の範囲】
【請求項１】
原稿（１）を保持する保持板（２）が、原稿（１）の行と沿った切り溝（３）と少なくとももう一本の切り溝（４）とを設けた保持板（２）としたことを特徴とする原稿保持具。
【請求項２】
切り溝（３）ともう一本の切り溝（４）とをつなげて溝幅を広くし、その幅広切り溝（５）内の両端側より内側に向けて突出した舌片部（６）を設けたことを特徴とする請求項１記載の原稿保持具。
【請求項３】
ディスプレイ（７）の外壁面に固着させる固定部（８）の一端と保持板（２）の一端とを、ヒンジや折り曲げなどによる屈曲連結部（９）によって連結したことを特徴とする請求項１又は請求項２記載の原稿保持具。
【請求項４】
保持板（２）と固定部（８）とを、軸（１０）と軸受け（１１）とによって連結したことを特徴とする請求項３記載の原稿保持具。
【発明の詳細な説明】
【０００１】
【発明の属する技術分野】
この発明は、ワープロなどのディスプレイに装着させて原稿を保持する原稿保持具に関するものである。
【０００２】
【従来の技術】
従来、ディスプレイの上端部に基枠を取り付け、その基枠の側方に張り出しと格納との出し入れ自在の原稿吊りアームを設け、原稿をディスプレイの横側に保持するものがあった。（例えば特許文献１参照）。
また、書類の上端を書類受け部材に設けている保持部材で挟み持ち、その書類受け部材をディスプレイの側壁に回動自在にして支持したもので、原稿をディスプレイの横側に保持するものもあった。（例えば特許文献２参照）。
【０００３】
【特許文献１】
特開平７−４０６３１号公報
【特許文献２】
特開平１０−１４６６８号公報
【０００４】
【発明が解決しようとする課題】
従来の特開平７−４０６３１号と特開平１０−１４６６８号との原稿保持具においては、原稿をディスプレイの横側に保持するものであるから、目の動きは左右に動かすだけでは十分に読み取りが出来ず首を大きく振り動かすことになるものであって、原稿の行を読み間違える欠点があった。
【０００５】
【課題を解決するための手段】
本発明は、原稿１をディスプレテの上端部分に取り付けることや原稿１の必要とする部分となる行だけを表示するものにし、それに、目の動きを上下にして首を大きく左右に振り動かすことがなくなるようにすることで、従来の原稿の行が読み取り難くくて読み間違えることの防止手段を設けることとしている。
【０００６】
すなわち、原稿１を保持する保持板２に原稿１の行と沿った一本の切り溝３ともう１本の切り溝４とを設け、原稿１の端を切り溝３の裏側から表に通し、その原稿１の端を切り溝４に通して裏側に持って行くことで、原稿１の表面が切り溝３と切り溝４との間だけに現れるものとした。
この二つの切り溝３，４に挟まる原稿１は、裏側になった原稿１の上端や下端を引くことで前方に現れている行を移動することが出来るものとしている。
切り溝３と切り溝４とをつなげて溝の幅を広くした幅広切り溝５を形成し、その溝内の両端に突出した舌片部６を設けたものとすることも出来る。
【０００７】
ディスプレイ７の外壁面に固着させる固定部８の一端と保持板２の一端とを屈曲自在の屈曲連結部９によって連結すれば、保持板２を１８０度回動させることによってその位置をディスプレイ７の上側と横側とに変えることが出来るものにする。
また、この屈曲連結部９を軸１０と軸受け１１との手段によって連結することにすれば、保持板２を回動させることでその位置をディスプレイ７の上側と横側とに変えることが出来るものになる。
【０００８】
【発明の実施の形態】
本発明に係わる実施の形態の一つとしては、図１に示すように、板をＬ字状に曲げて保持板２を形成し、保持板２には横向きの行に沿った切り溝３と切り溝４とを平行状態に設けたものとしている。
この切り溝３と切り溝４との間隔は、原稿１の二行が現れるものとしているが一行でも三行でも必要に応じた間隔に設けることが出来るものである。
また、切り溝３と切り溝４との他に数を増やすことが考えられ、増やした溝によって現れる原稿１の行数を変えることが出来るものとしている。
溝と溝とを平行状態に設けなくても良いことは当然であり、溝の幅も保持する原稿１の枚数によって広くも狭くもすることは当然考えられるものである。
【０００９】
この保持板２に原稿１を装着するときには、保持板２の裏側から原稿１の端を切り溝３に差し込み、その抜け出た端を折り返して切り溝４へ差し通し、保持板２の表側に必要な行が現われるものとしている。
次の行を必要とするときには、裏側になる原稿１の上辺を摘んで引けば、保持板２の表側に必要な行が現われるものである。
複数枚挟んだ状態の原稿１を引っ張るときに、下に重なる原稿１がずり動くことがなく使い易いものとなるものである。
【００１０】
また、図２に示すものは、切り溝３と切り溝４とをつなげて溝の幅を広くした幅広切り溝５を形成したもので、その溝内の両端側より内側に向けて突出した舌片部６を設けたものとしている。
この左右の舌片部６の長さには長短を設けたものとしていて、この幅広切り溝５に原稿１を保持させるときには、原稿１を二つ折に湾曲させ、その湾曲した先端を保持板２の後ろ側から幅広切り溝５の中へ差し込み、その湾曲させた先端部分を長い舌片部６から掛け挟み、その後短い舌片部６に掛け挟む手順によって原稿１の装着が容易となるものとしている。
【００１１】
その他の実施の形態としては、図３に示すように、ディスプレイ７の上部外壁面に固定させる固定部８の一端と保持板２の一端とを、ヒンジや折り曲げなどによる屈曲自在の屈曲連結部９によって連結したものが考えられる。
この屈曲自在の屈曲連結部９によって連結したものは、図４に示すように、保持板２を１８０度左に回転させてディスプレイ７の左側に移すことが出来るものとしている。固定部８は左側外壁面に固定するものとすることが出来る。
【００１２】
屈曲自在の屈曲連結部９を軸１０と軸受け１１とによって形成することが考えられるもので、図５に示すように、ディスプレイ７の側壁に丸棒を軸１０として取り付け、保持板２の一端には二本の切り線による軸受け１１を設けて丸棒の軸１０と回動自在の状態としている。
この二本の切り線による軸受け１１を筒状の軸受け１１などにすることが考えられるもので、軸と軸受けとによる連結は様々な手段が存在し、その回動によって、ディスプレイ７の上側から横側に保持板２が移動しても、保持板２の表と裏とが逆になるだけで、原稿１の差し込みと必要とする行の現われには変化が無く取り扱いが出来るものとしている。
【００１３】
【発明の効果】
本発明に係わる原稿保持具を使用するときには、原稿１の行を追う視線が左右の目の動きよりも、上下への目の動きの方が首を大きく振り動かする事が無くなり、行を追う視線の仕事が容易なものとなる。
また、切り線３と切り線４とによって、必要となる行だけが保持板２の表に現われるので、読み間違いが起こらずに行を追い続けることが出来る。
更に、複数枚の原稿１を保持することが出来、上になる原稿１を引き動かしても、下になる原稿１をずり動かすことがないので取り扱い易いものにもなる。
構造が簡単なものであるから、製造コストも安価にできる。
【図面の簡単な説明】
【図１】本発明に係る実施の形態の保持板を示す斜視図である。
【図２】幅広切り溝を設けた保持板を示す斜視図である。
【図３】固定部と屈曲連結部とを設けた保持板の使用状態を示す斜視図である。
【図４】保持板をディスプレイの左側に移しての使用状態を示す斜視図である。
【図５】軸と軸受けとの連結による保持板の使用状態を示す斜視図である。
【符号の説明】
１  原稿
２  保持板
３  切り溝
４  切り溝
５  幅広切り溝
６  舌片部
７  ディスプレイ
８  固定部
９  屈曲連結部
１０  軸
１１  軸受け
【図１】
2005038031.tif 000003
【図２】
2005038031.tif 000004
【図３】
2005038031.tif 000005
【図４】
2005038031.tif 000006
【図５】
2005038031.tif 000007
【手続補正書】
【提出日】平成16年5月7日(2004.5.7)
【手続補正１】
【補正対象書類名】明細書
【補正対象項目名】特許請求の範囲
【補正方法】変更
【補正の内容】
【特許請求の範囲】
【請求項１】
原稿（１）を保持する保持板（２）が、原稿（１）の行と沿った切り溝（３）と少なくとももう一本の切り溝（４）とを設けた保持板（２）としたことを特徴とする原稿保持具。
【請求項２】
切り溝（３）ともう一本の切り溝（４）とをつなげて溝幅を広くし、その幅広切り溝（５）内の両端側より内側に向けて突出した舌片部（６）を設けたことを特徴とする請求項１記載の原稿保持具。